(57)【特許請求の範囲】
【請求項１】
底壁と側壁をもつ底部に対して開閉可能に蓋部が装着され、かつ前端が開口した筐体と、それぞれ前記筐体の側部に軸支されて該筐体内に収容された帯状拭布の巻戻しリールおよび巻取りリールと、前記筐体の前端の開口から周部の一部が露出するように該筐体に軸支された拭布巻返し筒部と、前記筐体に装着された巻取りリール回転操作つまみと、ばね手段のばね力で付勢されて前記拭布巻返し筒部で折り返された前記帯状拭布の該巻返し筒部から前記巻戻しリールに向う部分と該巻返し筒部から前記巻取りリールに向う部分とを重ね合せて前記底部の底壁に押し付ける拭布拘束レバーおよび前記蓋部上面に露出しかつ該拘束レバーの拭布押し付けを解除する押動ノブを備えた拭布固定・解放手段とを有し、前記押動ノブによる前記拭布の押し付け解除時に前記巻取りリール回転操作つまみによって前記巻取りリールに前記帯状拭布を巻き込んで前記巻戻しリールから新しい拭布部分を引き出すようにしたことを特徴とする機器・部品類の機能露出面の清掃装置。
【請求項２】
前記拭布固定・解放手段は、前記拭布拘束レバーと前記押動ノブが一体に連結され、その連結部が前記蓋部上面に形成された凹部に枢着されて該拭布拘束レバーが該凹部の底を貫通して前記筐体内へ延在され、かつ該凹部の底と前記押動ノブとの間に圧縮ばねが介在され、前記圧縮ばねにより前記拭布拘束レバーが前記巻戻しリールから前記巻返し筒部へ向う帯状拭布と該巻返し筒部から前記巻取りリールへ向う帯状拭布を重ね合せて前記筐体の底壁に押し付けるようになっており、前記圧縮ばねに抗して前記押動ノブを押し込むことにより、前記拭布拘束レバーが拭布解放側へ回動することを特徴とする請求項１に記載した機器・部品類の機能露出面の清掃装置。
【請求項３】
前記拭布巻返し筒部は前記底部の前端に、後方へ向って弾性変位するように弾性支持されることを特徴とする請求項１または請求項２に記載した機器・部品類の機能露出面の清掃装置。
【請求項４】
前記拭布巻返し筒部は弾性変形部材で形成されることを特徴とする請求項１または請求項２に記載した機器・部品類の機能露出面の清掃装置。
【発明の詳細な説明】
【０００１】
【発明の属する技術の分野】
本発明は各種電子機器や光学機器その他各種部品の機能露出面を拭布で擦過して清掃する装置、例えば情報処理装置のディスプレイにおける液晶表示面や光ディスクの露出記録面などを清掃するのに適した機器・部品類の機能露出面の清掃装置に関する。
ここで機能露出面とは、人あるいは他の機器に対して一定の目的、作用を働きかける機能を担うように露出した面、例えば電子機器のディスプレイ装置の表示画面、光ディスクや光磁気ディスクの情報記録面、眼鏡のレンズ面、絵画あるいは写真の前面など、主として手などで触れて汚染、損傷させてはならない面一般を指している。本発明はこのような外部に露出した面を毀損することなく、しかも効率よく清掃するための装置に関するものである。
【０００２】
【従来の技術】
パソコン等のディスプレイ装置で表示面が液晶画面となっているものでは、この表示面を指先等で強く押圧すると、表示データが変化したり、正常な表示がなされなくなったりする。したがってディスプレイの液晶表示面が長期間の使用で汚れたりしたときの清掃においては、布切れで注意深く、なるべく手先に力を加えないようにして拭くか、あるいは柔らかいブラシ等でほこりを掃き落とすことで対処している。
【０００３】
【特許文献１】
特開２００２−２１９４３３
【特許文献２】
特開平９−１９７１８２号
【０００４】
【発明が解決しようとする課題】
このような方法では、表示面を局部的に強く押したりしないように細心の注意が必要で、かなり煩雑な作業となる。また拭布を直接手で保持して拭くと、拭き残しの部分が生じ、布のほこりの付いた部分で繰り返し拭いたり、拭布の繰り返し使用に際して未だ使用できる布面の部分があるにもかかわらず廃棄してしまうなどの無駄が生じていた。
ブラシ等で液晶表示面を拭く方法では、細かい塵やほこりを完全に掃き取ることができず、また静電気等の関係で一度掃き落とした塵が再び表示面に吸着されたりして思うようにきれいな清掃ができない。
【０００５】
本発明は、このような事情に鑑みてなされたものであって、液晶画面や光ディスクの記録面等の機能露出面を広い拭き幅で一様に拭くことができ、かつ拭布を無駄にすることなく拭布の新しい布面部分を簡単に繰り出して効率よく露出面の汚れを拭き取ることができ、また前記露出面を損傷させることがない機器・部品類の機能露出面の清掃装置を提供することを目的とするものである。
【０００６】
本発明はまた、操作性にすぐれ、しかも拭き残しの生じる心配もなく、迅速かつ簡単に露出面を拭き清掃することができる機器・部品類の機能露出面の清掃装置を提供することを目的とする。
【０００７】
【課題を解決するための手段】
本発明によれば、底壁と側壁をもつ底部に対して開閉可能に蓋部が装着され、かつ前端が開口した筐体と、それぞれ前記筐体の側部に軸支されて該筐体内に収容された帯状拭布の巻戻しリールおよび巻取りリールと、前記筐体の前端の開口から周部の一部が露出するように該筐体に軸支された拭布巻返し筒部と、前記筐体に装着された巻取りリール回転操作つまみと、ばね手段のばね力で付勢されて前記拭布巻返し筒部で折り返された前記帯状拭布の該巻返し筒部から前記巻戻しリールに向う部分と該巻返し筒部から前記巻取りリールに向う部分とを重ね合せて前記底部の底壁に押し付ける拭布拘束レバーおよび前記蓋部上面に露出しかつ該拘束レバーの拭布押し付けを解除する押動ノブを備えた拭布固定・解放手段とを有し、前記押動ノブによる前記拭布の押し付け解除時に前記巻取りリール回転操作つまみによって前記巻取りリールに前記帯状拭布を巻き込んで前記巻戻しリールから新しい拭布部分を引き出すようにした機器・部品類の機能露出面の清掃装置が提供される。
【０００８】
【発明の実施の形態】
次に、本発明を、実施形態につき添付の図面にしたがって説明する。なお、以下の実施形態は清掃対象の機能露出面としてパソコンのディスプレイにおける液晶表示面を例に挙げ、この表示面を拭布を組み込んだ清掃装置で擦過清掃する場合である。図１は本発明の１実施形態に係る清掃装置の外観斜視図である。全体の形状は人の片手の掌で把持できる大きさのものであり、全体の外殻が偏平な略矩形の筐体１で構成され、該筐体の前端１ａが開口し、この開口から筒部４で支持された拭布２が露出しており、人の掌で筐体１の上下面を挟むようにして持ち、拭布２の部分を清掃対象の液晶表示面１０（図３）に軽く接触させつつ上下あるいは左右に移動させて液晶表示面１０を清掃する。
【０００９】
筐体１は下側の底部３と、これに被さる蓋部５とに分離できるようになっている。図２は蓋部５を除去した状態で、かつ後述する拭布ガイド板６および拭布２の巻取りリール８、巻戻しリール７、巻返し筒部４を装着した筐体底部３の縦断面図である。底部３は底壁３ａと左右の側壁３ｂおよび後壁３ｃを有しており、左右の側壁上縁にそれぞれ２つの軸支溝９，１１が形成され、また、これらの軸支溝９，１１の間の略中間位置にガイド板６を保持する溝１２と、前端位置に巻返し筒部４を保持する角溝１３が形成されている。巻取りリール８を軸支する後側の軸支溝１１に対応して底部３の片側部に回転操作つまみ３５（図１，図７）が装着され、また後壁３ｃの略中央外側に蓋部５の係止鉤部１６が形成されている。
【００１０】
図３，図４はそれぞれ図１の略Ａ−Ａ線に沿った縦断面図であり、図３は表示面を擦過清掃する時の状態、図４は清掃後の拭布の汚れ部位を筐体内に巻き込み、新鮮な拭布面を筐体前部へ繰り出す時の状態を示している。これらの図に示すように、蓋部５は全体として下側（裏側）が凹状となるようにその上面５ａに続いて後壁５ｂ、側壁５ｃが形成され、底部３に蓋部５を被せた状態で筐体１内に拭布２を巻いたロール布１７，１８が収容される空間が形成される。
蓋部５の後壁外側の略中央位置に掛留め部材１９が枢着されている。掛留め部材１９の上片部と蓋部後壁５ｂとの間に圧縮ばね２０が介在されており、また該部材１９の下片部には底部３の鉤部１６と係合する爪部２１が形成され、底部３に蓋部５を被せたときに圧縮ばね２０の作用で爪部２１が鉤部１６に係合するようになっている。指先で掛留め部材１９の上片部を押し込むことにより爪部２１と鉤部１６の係合が解除される。
【００１１】
再び図１を参照して、底部３の前端近くの位置でその両側壁３ｂの外側面に逆Ｌ字状の係合部２２が形成され、またこの底部側逆Ｌ字状係合部２２に対応して蓋部５の両側壁外側にＬ字状係合部２３が形成されている。蓋部５を底部３に被せるようにして該蓋部５を前方から後部側へずらせることで、図１の如く底部３の逆Ｌ字状係合部２２と蓋部５のＬ字状係合部２３が係合し、この状態で蓋部後部を底部３に押し付けることにより掛留め部材１９の爪部２１が底部３の鉤部１６に係合し、底部３に対して蓋部５が固着（蓋閉）される。開蓋の際は上述と逆の手順で掛留め部材１９の爪部２１を底部３の鉤部１６から外した後、蓋部５を底部３に対して前方へずらして前記係合部２２，２３どおしの係合を解く。
【００１２】
なお、底部３と蓋部５の着脱手段あるいは蓋部の蓋開手段は上述の形態に限定されるものではないことは勿論である。例えば、底部３および蓋部５の後部を蝶番連結構造とし、蓋部５の前側部（両側部）に指先の押圧力で弾性変位する爪部を形成し、この爪部と係合する鉤部を底部の前側部に設け、爪部と鉤部の係合解除で蓋部を後方へ開くようにしてもよい。その他、目的に合った任意の手段が採用可能である。
【００１３】
蓋部５の上面には有底の矩形凹部２５が形成され、この凹部２５に拭布固定・解放部材２６が装着される。この拭布固定・解放部材２６は図３，図４に示すように側面視が大略「く」形を成し、その上辺部が押動ノブ２７となって前記凹部２５に収容されて蓋部上面５ａに露出し、下辺部は拭布拘束レバー２８となって凹部２５の底の切欠溝２９から筐体内へ伸長し、押動ノブ２７の基部が枢軸３０によって凹部２５の側壁２５ａに枢着されている。拭布拘束レバー２８の下端には図５に示すように帯状拭布２の略横幅にわたる寸法の布押さえバー３１が形成されている。押動ノブ２７の下面と凹部２５の底面との間に圧縮ばね３２が装着され、これによって押動ノブ２７は蓋部５の上面から一部上方へ突出するように付勢されるとともに拭布拘束レバー２８の布押さえバー３１は拭布２を底部３の底壁３ａに押し付けるようになっている（図３）。
【００１４】
拭布２のガイド板６の平面図は図６に、またその側面図は図２〜図４に示されている。ガイド板６は側面視で略Ｌ形を成し、またその横幅は帯状拭布２の幅と略等しいかあるいはこれより若干狭い幅に形成されている。ガイド板６の上端は前述した底部３の両側部の角溝１２に嵌合されるように肉厚大の縁部６ａが形成されている。ガイド板６を底部３の側壁上縁の角溝１２（図２）に嵌合させたとき、ガイド板６の下面６ｂは底部３の内底壁３ａに沿うように伸長し、このガイド板下面６ｂと底部底壁３ａとの間に拭布２が通るようになっている。
【００１５】
次に、本発明の実施例による巻返し筒部４について説明する。帯状拭布２を巻返して支持する筒部４は、その両端に設けられた小円板３３の内側中心に突出した短軸に回転自在に軸支される。小円板３３の外面にはその中心よりやや内側、つまり筐体１の中側に寄った位置に、前述した底部前端位置の筒部保持溝１３（図２）に嵌合される突起３３ａが形成されている。小円板３３の突起３３ａをこの保持溝１３に嵌合させたとき、筒部４の周面の一部が筐体１の前端よりやや前方へ突出する構成となっている。この状態は図１および図３，図４に明示されている。
【００１６】
拭布２の巻戻しリール７は、この実施例では小径の丸棒部材で構成され、この丸棒部材の周部に帯状拭布２の一端が適当な接着剤あるいは粘着テープなどによって固着され、かつロール状に巻き付けられる。丸棒部材は帯状拭布２の横幅より長く、その両端部を底部３の側壁上縁の軸支溝９に上方から落し込むようにして挿入する。
【００１７】
帯状拭布２の巻取りリール８も巻戻しリール７と同様に小径の丸棒部材で構成され、その両端部はガイド板保持用の溝１２よりも後方の底部側壁上縁の軸支溝１１に軸支される。この軸支溝１１の片側の底部側壁に一方向回転機構を内臓した回転操作つまみ３５が装着されており、巻取りリール８となる丸棒部材の軸端が回転操作つまみ３５の中心軸３６に脱着可能に連結される。リール８の丸棒部材と回転操作つまみ３５の軸３６との連結形態は簡単に脱着できる構造が採用され得る。
【００１８】
図７に例示するように回転操作つまみ３５の軸端に直径方向に貫通する横溝３７が形成され、前記丸棒部材の片軸端にはこの横溝３７と係合する突部３９が形成され、前記丸棒部材を底部側壁の軸支溝１１に上方から落し込むときに回転操作摘まみ３５の軸端の横溝３７に前記突部３９を係合させるようにする。突部３９の側面は前記横溝３７と係合するようにフラットな面となっている。この構成により、回転操作つまみ３５の回転が巻取りリール８に伝達される。回転操作つまみ３５はカップ状の形状に形成され、この内側に一方向回転機構、例えばワンウエイクラッチ機構３８が収容され、回転操作つまみ３５の回転動作はこの機構３８を介して巻取りリール８に伝達される。このワンウエイクラッチ機構３８は巻取りリール８の巻取り方向には回転を伝達するが、その逆方向には回転を阻止するように作用し、また清掃動作時に拭布２が布押さえバー３１で拘束されて拭布２が移動しない状態では回転操作つまみ３５のみが巻取りリール８に対して空回りするようにラチェット機構を含んでいる。
【００１９】
帯状拭布２は微細な繊維からなる公知の拭布であり、その全長は巻戻しリール７にロール状に巻いた状態で筐体１内に収まる長さに設定される。この帯状拭布２の装填は、まず蓋部５を取外し、巻取りリール８を底部３の側壁の軸支溝１１に装着しておき、拭布２の一端を巻戻しリール７の周面に固着してロール状に巻き付け、この状態で巻戻しリール７を底部３の側壁の軸支溝９に軸支するとともに、拭布２の他端を引き出して巻返し筒部４の上側から該巻返し筒部４に巻き返し、底部３の底壁３ａに沿わせるように後方へ伸長させて巻取りリール８の周面に粘着テープなどを利用して固着する。この後、ガイド板４を底部側壁の溝１２に装着し、蓋部５を底部３に被せて固定する。最後に回転操作つまみ３５を若干回転させて筐体１内の拭布２の弛みをとることで拭布２は巻返し筒部４に密着し、対象面の擦過清掃が可能となる。なお、巻戻しリール７から引き出した拭布２を巻返し筒部４に巻き返すときは、底部３に装着した巻返し筒部４の上側から該筒部４の下側へ潜らせるようにしてもよいが、巻返し筒部４を底部３に装着する前に予め拭布２を巻返し筒部４に巻き返しておいて、その状態で巻返し筒部４を底部３に装着することで拭布装填の操作はより簡単となる。
【００２０】
このようにして拭布２を装填した後、筐体１を片手で保持して清掃対象面、例えばディスプレイ装置の液晶表示面１０を筐体前端に露出した拭布２で軽く擦過して清掃する。筐体１内で巻戻しリール７から巻返し筒部４へ延びる拭布２および該筒部４から巻取りリール８へ向う拭布２は、図３の如く、重ね合されて拭布拘束レバー２８の布押さえバー３１で底壁３ａに押し付けられているので、清掃面との摩擦力で拭布２が巻返し筒部４から外側へ延び出すことはなく、清掃動作中常に拭布２は巻返し筒部４に密着した状態に保たれる。拭布２は広い幅を有しているため液晶表示面１０に局部的な押圧力がかかることがなく、均一な接触状態で清掃できる。
【００２１】
なお、拭布２の巻返し筒部４に至る部分と該筒部４で折り返されて後方へ延びる部分は該筒部４の近くで上方からバー３１で押さえ付けられるので、巻返し筒部４の中心角で少なくとも１８０°を超える巻返し角度をもって、図示の例では大略２７０°の角度範囲で筒部外周に巻き付けられ、したがって対象面の清掃の際に、図３の如く該対象面に対して垂直に筐体を保持しなくても装置全体を多少斜め上向きに、あるいは多少斜め下向きにして擦過動作させても拭布と対象面との良好な接触が確保される。
【００２２】
拭布２による擦過清掃で該拭布２が汚れたとき、図４の如く蓋部上面の押動ノブ２７を圧縮ばね３２に抗して押し込むと、拭布拘束レバー２８が回動して布押さえバー３１の押し付けが解除され、回転操作つまみ３５を必要量巻取り方向へ回転させることにより、巻取りリール８が回転して拭布２を巻き込むとともに、巻戻しリール７からその分の拭布２が引き出され、拭布２の新しい布面が筐体１の前端に露出する。図４の破線は拭布２を巻き取るときの該拭布２の筐体１内の軌跡を示している。巻取りリール８の回転の際は該リール８につながる拭布２は緊張状態に引張られるが、巻取りリール８につながる拭布２はガイド板６によって底壁３ａに沿うように規制されるので、拭布２によって巻戻しリール７が持ち上げられて軸支溝から外れてしまうということはない。長期間の使用により、巻戻しリール７の拭布２の残りがなくなったときは、蓋部５を外し、巻取りリール８から使用済み拭布を外すとともに、巻戻しリール７に新しい帯状拭布を装填する。
【００２３】
以上の実施形態は１つの例であり、このほかにも種々の変形、修正形態のものが採用可能であり、例えば底部に対する蓋部の着脱構造を蝶番による開閉式としてもよく、また清掃対象物に対応して拭布の幅やリールの軸長、巻返し筒部の長さを変えたもの、眼鏡のレンズの凸状の表面だけでなく凹状の裏面も清掃できるように筒部の形状を選定することもできる。
【００２４】
拭布巻返し筒部は筐体の底部前端に後方へ向って若干弾性変位するように弾性的に支持することができる。図８はこの場合の実施形態を示す部分的な拡大側面図である。筒部４の両端部に小円板３３が枢着され、この小円板３３の外面に円板中心からずれた位置に矩形状の突起３３ａが形成され、小円板３３の内面中心に短軸が形成されて該短軸に回転自在に筒部４が軸支されることは前述した実施例と同様であるが、図８の例では底部前端位置に形成される筒部保持溝１３の溝幅が小円板３３の矩形状突起３３ａの横幅ｄよりも大となっている。小円板３３の前記突起３３ａを底部３の筒部保持溝１３に挿入したとき、該突起３３ａと保持溝１３との間に生じる間隙部（突起の後側）にスポンジなどの弾性変形部材４０が挟み込まれる。清掃の際に、筒部４に加わる清掃対象面の押付け反力によって前記弾性変形部材４０が圧縮変形して前記筒部４が後方へ変位するため、前記清掃対象面に過大な押付け力が作用せず、拭布の擦過力が略一定となり、安定した擦過作用がもたらされる。
【００２５】
前記矩形状突起と前記筒部保持溝との間の間隙部に挿入する弾性体はスポンジに限定されるものではなく、押圧力に比例して弾性変位する他の部材、例えば山形あるいは円弧形、Ｖ形あるいはＵ形に折曲された板ばね部材、コイルばねなどを挿入するようにしてもよい。その他、筒部自体を弾性変形部材で形成し、これによって清掃対象面に対する擦過清掃時のクッション性を確保することも可能である。
【００２６】
【発明の効果】
以上説明したように本発明によれば、液晶画面や光ディスクの記録面、あるいは写真、絵画、眼鏡レンズ等の機能露出面を適切な拭き幅で一様に拭くことができ、かつ拭布を無駄にすることなく拭布の新しい布面部分を簡単に繰り出して効率よく露出面の汚れを拭き取ることができ、また清掃中に前記露出面を損傷させることがない。擦過清掃の動作中に拭布が被清掃面との摩擦で装置の前端から外方へ延び出すようなこともなく、確実で安定した清掃動作が確保される。帯状拭布を巻き付けるリールも、その両軸端を底部の側壁上縁に開放した軸支溝に上から落し込むようにして装着するだけでよく、新しい拭布の交換の際に前記リールの取外しが極めて簡単であり、全体としてコンパクトで扱い易い拭布利用の清掃装置が得られるなど、多大の効果が発揮される。
【図面の簡単な説明】
【図１】本発明の１実施形態に係る清掃装置の外観斜視図である。
【図２】蓋部を除去した状態における拭布ガイド板および拭布の巻取りリール、巻戻しリール、巻返し筒部を装着した筐体底部の縦断面図である。
【図３】表示面を擦過清掃する時の状態における図１の略Ａ−Ａ線に沿った縦断面図である。
【図４】拭布の汚れ部位を筐体内に巻き込んでおける新鮮な拭布面を筐体前部へ繰り出すときの図１の略Ａ−Ａ線に沿った縦断面図である。
【図５】本発明の実施例に係る拭布固定・解放部材の布押さえバーの正面図である。
【図６】本発明の実施例に係る拭布のガイド板の平面図である。
【図７】回転操作つまみの中心軸と巻取りリールの軸端との係合形態の１例を示す概略的な拡大平面断面図である。
【図８】拭布巻返し筒部を底部前端に弾性支持する例を示した部分的な拡大側面図である。
【符号の説明】
１  筐体
２  帯状拭布
３  筐体の底部
４  巻返し筒部
５  筐体の蓋部
６  拭布ガイド板
７  巻戻しリール
８  巻取りリール
１０  液晶表示面（清掃対象面）
２６  拭布固定・解放部材
２７  押動ノブ
２８  拭布拘束レバー
３１  布押さえバー
３５  回転操作つまみ
４０  弾性変形部材
【図１】
0003838510.tif 000002
【図２】
0003838510.tif 000003
【図３】
0003838510.tif 000004
【図４】
0003838510.tif 000005
【図５】
0003838510.tif 000006
【図６】
0003838510.tif 000007
【図７】
0003838510.tif 000008
【図８】
0003838510.tif 000009